(57)【要約】【課題】  ローカルエリアネットワーク用電源供給器の提供。【解決手段】  電源装置内に電源モジュール、ネットワーク電力供給制御モジュール及び電力と信号整合モジュールが設けられ、電源モジュールが電源装置内でネットワーク電力供給制御モジュールを通して電力と信号整合モジュールの必要とする電力を提供し、該電源モジュールが対外的に外部信号源（例えばハブ）の必要な電力を提供し、並びに外部信号源のデータ信号を、電力と信号整合モジュールに入力し、該電力と信号整合モジュールを利用して外部信号源より入力したデータ信号と該電源モジュールより伝送する電力を結合させて電力を結合したデータ信号となし、外部装置（例えば無線基地局）に出力し、これによりローカルエリアネットワークを利用し電力とデータ信号を同時に伝送する。【選択図】        図２
0003105378.tif 000002
【実用新案登録請求の範囲】
【請求項１】
定格の電源電圧を二組の独立した所定電圧値として出力するデュアル隔離変圧器と、
該デュアル隔離変圧器の出力する二組の独立した所定電圧をそれぞれ整流、ろ波して直流電源となし、そのうち一組の直流電源を直接外部信号源に提供し、もう一組の直流電源を電力と信号整合モジュールに出力する、出力整流ろ波回路と、
入力端が前述の外部信号源、出力整流ろ波回路に接続され、伝送されたデータ信号を直流電源と整合させて電力を結合したデータ信号となし、出力端がローカルエリアネットワークケーブルで外部装置に接続され、該外部装置にローカルエリアネットワークケーブルを利用して電力供給とデータ信号を獲得させる、少なくとも一つの電力と信号整合モジュールと、
を具えたことを特徴とする、ローカルエリアネットワーク用電源供給器。
【請求項２】
請求項１記載のローカルエリアネットワーク用電源供給器において、出力整流ろ波回路と電力と信号整合モジュールの間に、出力整流ろ波回路の電力と信号整合モジュールに対する電力供給を制御するネットワーク電力供給制御モジュールが設けられたことを特徴とする、ローカルエリアネットワーク用電源供給器。
【請求項３】
請求項１又は請求項２記載のローカルエリアネットワーク用電源供給器において、デュアル隔離変圧器と交流電源の間に交換装置と入力整流ろ波回路が設けられ、該交換装置が出力整流ろ波回路をモニタリングするフィードバック制御回路に悦族されて、交流電源が入力整流ろ波回路を通して整流、ろ波されて直流電源とされ、更に交換装置を通りデュアル隔離変圧器に出力され、該フィードバック制御回路が出力整流ろ波回路の出力電圧をモニタリングして交換装置がデュアル隔離変圧器、入力整流ろ波回路と導通する時間を制御し、これにより負荷変動による出力増加の最適変換効率を達成することを特徴とする、ローカルエリアネットワーク用電源供給器。
【請求項４】
請求項１又は請求項２記載のローカルエリアネットワーク用電源供給器において、電力と信号整合モジュールに一組形式の設計が採用されたことを特徴とする、ローカルエリアネットワーク用電源供給器。
【請求項５】
請求項３記載のローカルエリアネットワーク用電源供給器において、電力と信号整合モジュールに一組形式の設計が採用されたことを特徴とする、ローカルエリアネットワーク用電源供給器。
【請求項６】
請求項１又は請求項２記載のローカルエリアネットワーク用電源供給器において、電力と信号整合モジュールに複数組形式の設計が採用されたことを特徴とする、ローカルエリアネットワーク用電源供給器。
【請求項７】
請求項３記載のローカルエリアネットワーク用電源供給器において、電力と信号整合モジュールに複数組形式の設計が採用されたことを特徴とする、ローカルエリアネットワーク用電源供給器。
【考案の詳細な説明】
【技術分野】
【０００１】
本考案はローカルエリアネットワーク、特にイーサネット（登録商標）の電源供給器に係り、特にＩＥＥＥの制定した８０２．３ａｆ−２００３協定に符合し、イーサネット（登録商標）ケーブルを利用し電力とデータ信号を同時に伝送する電源供給器の構造に関する。
【背景技術】
【０００２】
ネットワークの発達と普及により、各種のイーサネット（登録商標）をデータ伝送インタフェースとするコンピュータ周辺設備もまた普及している。しかし、伝統的なイーサネット（登録商標）ケーブルはデータ信号の伝送機能しか具備せず、このためイーサネット（登録商標）をデータ伝送インタフェースとするコンピュータ周辺設備はいずれも独立して電源供給を行なわねばならず、このため上述の各コンピュータ周辺設備の使用は、電源の所在位置に制限される。このため延伸と分布が制限される。電源供給が行なえない場所では上述のイーサネット（登録商標）のコンピュータ周辺設備は使用できず、応用上、極めて大きなネックが形成され、且つ各コンピュータ周辺設備はいずれも独立した専属の電源構造を必要とするため、コストがかかる。このことから、ＩＥＥＥは２００３年に８０２．３ａｆ−２００３協定を制定し、それはイーサネット（登録商標）ケーブルを利用して電力とデータ信号を同時に伝送する技術を規定したもので、ネットワークケーブルの末端の設備を電力線の束縛より開放してその応用上の便利性を増すものである。
【０００３】
図１はＩＥＥＥ  ８０２．３ａｆ−２００３協定の規定下での電源装置ＰＳＥ（Ｐｏｗｅｒ  Ｓｏｕｒｃｉｎｇ  Ｅｄｑｕｉｐｍｅｎｔ）の基本構造ブロック図である。該イーサネット（登録商標）電源装置４は、二つの独立したアダプタ（Ａｄａｐｔｅｒ）４１１、４２１を具備しなければならず、そのうち一方のアダプタ４１１は交流電源Ｂ変換用であり、更に電源コントローラ４１を通して伝送に必要な電力を提供し、もう一つのアダプタ４２１は交流電源Ａを変換し、更にデータソース４２（例えばハブＨＵＢ）の必要とする作業電力を提供し、電源及び信号混合器４３が該電源コントローラ４１の電力と、信号源４２の出力信号とを結合させて電力を結合したデータ信号Ｃを出力し、イーサネット（登録商標）に電力とデータ信号を同時に伝送させる応用形態を達成している。
【０００４】
しかし、上述の二つの独立したアダプタ４１１、４２１を具えた伝統的な電源装置４は、製造コストが高く、且つ体積が大きく、システム配線が複雑で、応用上、改善の余地がある。
【考案の開示】
【考案が解決しようとする課題】
【０００５】
本考案は一種のローカルエリアネットワーク用電源供給器を提供することを目的とし、それは、単一の電源モジュールで対外的に外部信号源、例えばハブの必要とする電力を提供し、並びに外部信号源のデータ信号を電力と信号整合モジュールに入力し、該電源モジュールがネットワーク電力供給制御モジュールを通して該電力と信号整合モジュールの必要とする電力を提供し、該電力と信号整合モジュールを利用して外部信号源より入力したデータ因業に、電源モジュールの電力を結合させて電力を結合したデータ信号を形成し、所定の外部装置例えば無線基地局に出力し、このようなローカルエリアネットワークで電力とデータ信号を同時に伝送する応用形態により、該外部装置の構造を簡易化し並びにその製造コストを減らせる（電源部分の構造を省略できる）装置であるものとする。
【課題を解決するための手段】
【０００６】
請求項１の考案は、定格の電源電圧を二組の独立した所定電圧値として出力するデュアル隔離変圧器と、
該デュアル隔離変圧器の出力する二組の独立した所定電圧をそれぞれ整流、ろ波して直流電源となし、そのうち一組の直流電源を直接外部信号源に提供し、もう一組の直流電源を電力と信号整合モジュールに出力する、出力整流ろ波回路と、
入力端が前述の外部信号源、出力整流ろ波回路に接続され、伝送されたデータ信号を直流電源と整合させて電力を結合したデータ信号となし、出力端がローカルエリアネットワークケーブルで外部装置に接続され、該外部装置にローカルエリアネットワークケーブルを利用して電力供給とデータ信号を獲得させる、少なくとも一つの電力と信号整合モジュールと、
を具えたことを特徴とする、ローカルエリアネットワーク用電源供給器としている。
請求項２の考案は、請求項１記載のローカルエリアネットワーク用電源供給器において、出力整流ろ波回路と電力と信号整合モジュールの間に、出力整流ろ波回路の電力と信号整合モジュールに対する電力供給を制御するネットワーク電力供給制御モジュールが設けられたことを特徴とする、ローカルエリアネットワーク用電源供給器としている。
請求項３の考案は、請求項１又は請求項２記載のローカルエリアネットワーク用電源供給器において、デュアル隔離変圧器と交流電源の間に交換装置と入力整流ろ波回路が設けられ、該交換装置が出力整流ろ波回路をモニタリングするフィードバック制御回路に悦族されて、交流電源が入力整流ろ波回路を通して整流、ろ波されて直流電源とされ、更に交換装置を通りデュアル隔離変圧器に出力され、該フィードバック制御回路が出力整流ろ波回路の出力電圧をモニタリングして交換装置がデュアル隔離変圧器、入力整流ろ波回路と導通する時間を制御し、これにより負荷変動による出力増加の最適変換効率を達成することを特徴とする、ローカルエリアネットワーク用電源供給器としている。
請求項４の考案は、請求項１又は請求項２記載のローカルエリアネットワーク用電源供給器において、電力と信号整合モジュールに一組形式の設計が採用されたことを特徴とする、ローカルエリアネットワーク用電源供給器としている。
請求項５の考案は、請求項３記載のローカルエリアネットワーク用電源供給器において、電力と信号整合モジュールに一組形式の設計が採用されたことを特徴とする、ローカルエリアネットワーク用電源供給器としている。
請求項６の考案は、請求項１又は請求項２記載のローカルエリアネットワーク用電源供給器において、電力と信号整合モジュールに複数組形式の設計が採用されたことを特徴とする、ローカルエリアネットワーク用電源供給器としている。
請求項７の考案は、請求項３記載のローカルエリアネットワーク用電源供給器において、電力と信号整合モジュールに複数組形式の設計が採用されたことを特徴とする、ローカルエリアネットワーク用電源供給器としている。
【考案の効果】
【０００７】
本考案のローカルエリアネットワーク用電源供給器は単一電源装置で外部信号源の必要とする電力を提供でき、並びにローカルエリアネットワークケーブルを使用して電力とデータ信号を同時に伝送する機能を達成し、産業上の利用価値、新規性、進歩性を有している。
【考案を実施するための最良の形態】
【０００８】
図２は本考案の構造ブロック図であり、この図に明らかに示されるように、本考案の電源装置１は、外部交流電源に接続された入力整流ろ波回路１１、交換装置１２、デュアル隔離変圧器１３、出力整流ろ波回路１４、フィードバック制御回路１５、ネットワーク電力供給制御モジュール１６及び電力と信号整合モジュール１７を具えている。そのうち、該入力整流ろ波回路１１は交換装置１２を介してデュアル隔離変圧器１３に接続され、該デュアル隔離変圧器１３は該出力整流ろ波回路１４に結合され、該出力整流ろ波回路１４は外部信号源２（例えば、ハブＨＵＢ、交換機Ｓｗｉｔｃｈ等の装置）、ネットワーク電力供給制御モジュール１６、フィードバック制御回路１５に接続され、また、該フィードバック制御回路１５は前述の交換装置１２に結合され、該ネットワーク電力供給制御モジュール１６は電力と信号整合モジュール１７と接続され、電力と信号整合モジュール１７が一組（少なくとも一つ、図３及び４のとおり）のイーサネット（登録商標）ケーブルソケット１７２で外部装置３と接続されている。
【０００９】
上述の入力整流ろ波回路１１は外部交流電源を整流、ろ波して直流電源となし、更に交換装置１２を通してデュアル隔離変圧器１３に出力し、デュアル隔離変圧器１３は定格の電源電圧を変換して二組の独立した必要な電圧値となし、並びに出力整流ろ波回路１４を通してこの二組の電圧を再度整流、ろ波した後、そのうち一組の直流電源１４１を外部信号源２に提供し、もう一組の直流電源をネットワーク電力供給制御モジュール１６を通して電力と信号整合モジュール１７に送り、電力と信号整合モジュール１７はもう一組（少なくとも一つ、図３及び図４に示されるとおり）のネットワークケーブルソケット１７１で外部信号源２のネットワークデータ信号を受け取り、それを前述の直流電源と結合して電力を結合したデータ信号となし、並びにイーサネット（登録商標）ケーブルで外部装置３（例えば小型無線基地局、ネットワークビデオカメラ、ネットワーク電話等、低消耗パワーのネットワーク使用設備）に伝送し、該外部装置３にイーサネット（登録商標）ケーブルを通して運転に必要な電力を獲得させ、また双方向にデータ信号を伝送させる。上述のフィードバック制御回路１５は該出力整流ろ波回路１４の出力電圧をモニタリングして交換装置１２と電力と信号整合モジュール１７、入力整流ろ波回路１１との導通の時間を制御し、これにより負荷変動により最適の変換効率を以て出力が行なえるようにする。
【００１０】
実際の応用においては、上述の外部信号源２はネットワーク信号を送信する部分であり、一般には、いわゆるマシンルームであって内部に交換機（Ｓｗｉｔｃｈ）、ハブ（Ｈｕｂ）を具備するものとされるか、或いはブロードバンドネットワークのノードとされ、一般の家庭或いは小型オフィスであれば、ブロードバンドモデム（ＡＤＳＬ  Ｍｏｄｅｍ）とされ、ネットワークユーザーはこの部分を通して外界と連絡する。外部装置３は即ち低パワー消耗のネットーク使用設備を指し、例えば小型無線基地局、ネットワークビデオカメラ、ネットワーク電話等ネットワークを通して接続される装置であり、通常これらの装置の共同点は、電源コンセントのない場所である可能性があり、本考案は上述の構造により、一般にデータ信号を伝送するイーサネット（登録商標）ケーブルに同時に電力を伝送させて外部装置３の必要に供し、ゆえに電力配線を節約でき、使用上の便利性を増し使用コストを減らすことができる。
【００１１】
以上から分かるように、本考案のローカルエリアネットワーク用電源供給器は単一電源装置で外部信号源の必要とする電力を提供でき、並びにローカルエリアネットワークケーブルを使用して電力とデータ信号を同時に伝送する機能を達成し、産業上の利用価値、新規性、進歩性を有している。
【００１２】
なお、以上の実施例は本考案の請求範囲を限定するものではなく、本考案に基づきなしうる細部の修飾或いは改変は、いずれも本考案の請求範囲に属するものとする。
【図面の簡単な説明】
【００１３】
【図１】周知の電源装置ＰＳＥの基本構造ブロック図である。
【図２】本考案の構造ブロック図である。
【図３】本考案の一組のネットワークケーブルソケット形式で設計された実施例の立体図である。
【図４】本考案の二組のネットワークケーブルソケット形式で設計された実施例の立体図である。
【符号の説明】
【００１４】
１、４  電源装置
１１  入力整流ろ波回路
１２  交換装置
１３  デュアル隔離変圧器
１４  出力整流ろ波回路
１４１  直流電源
１５  フィードバック制御回路
１６  ネットワーク電力供給制御モジュール
１７  電力と信号整合モジュール
１７１、１７２  ネットワークケーブルソケット
２  外部信号源
３  外部装置
４１  電源コントローラ
４１１、４２１  アダプタ
４２  信号源
４３  電源とデータ信号混合器
Ａ、Ｂ、Ｄ  交流電源
Ｃ  電力を結合したデータ信号
【図１】
0003105378.tif 000003
【図２】
0003105378.tif 000004
【図３】
0003105378.tif 000005
【図４】
0003105378.tif 000006